(57)【要約】  本発明は、ノート型パーソナルコンピュータや携帯端末などの電子機器に関し、視認性に優れかつ低コストの電子機器を提供することを目的とする。上面にキーボード１１を備え、キーボード１１の操作に応じた演算処理を行う電子回路（図示せず）を内蔵した演算ユニット１０を備えた電子機器１において、演算ユニット１０の奥側であって、かつ両側に配置され、キーボード１１を斜め内向きに照射する複数の光源１２を備えた。光源１２としては、指向性を有するＬＥＤを用いることができる。
2008129646.tif 000002
【特許請求の範囲】
【請求項１】
上面にキーボードを備え、該キーボードの操作に応じた演算処理を行う電子回路を内蔵した演算ユニットを備えた電子機器において、
前記演算ユニットの奥側であって、かつ両側に配置され前記キーボードを斜め内向きに照射する複数の光源を備えたことを特徴とする電子機器。
【請求項２】
前記演算ユニットが、該演算ユニット奥側の少なくとも両側部に、立壁を持って一段高く形成された壁部を有し、
前記光源は前記壁部に備えられたものであることを特徴とする請求項１記載の電子機器。
【請求項３】
前記立壁の、前記演算ユニット両側の部分が斜め内向きに形成され、前記光源が該立壁の、斜め内向きに形成された部分に配置されたものであることを特徴とする請求項２記載の電子機器。
【請求項４】
表示画面を、前記演算ユニットの奥側で該演算ユニットとの間で開閉自在にヒンジ接続された表示ユニットを備え、前記壁部が、前記演算ユニット上に閉じられた表示ユニットと同一面を成す高さに形成されたものであることを特徴とする請求項２記載の電子機器。
【請求項５】
前記表示ユニットが、前記演算ユニットに対し開閉自在かつ回転自在に２軸に接続されたものであることを特徴とする請求項４記載の電子機器。
【請求項６】
上面にキーボードを備え、該キーボードの操作に応じた演算処理を行う電子回路を内蔵した演算ユニットと、表示画面を有し前記演算ユニットの奥側に開閉自在にヒンジ接続された表示ユニットとを備えた電子機器において、
奥側かつ両側に配置され前記キーボードを斜め内向きに照射する複数の光源を備えたことを特徴とする電子機器。
【請求項７】
前記表示ユニットが、前記演算ユニットに対し開閉自在かつ回転自在に２軸に接続されたものであることを特徴とする請求項６記載の電子機器。
【請求項８】
上面に操作部を備えた第１筐体と、前記第１筐体に対して開閉自在にヒンジ接続され所定の厚みを有する第２筐体とを備えた電子機器において、
前記第１筐体は、
前記第２筐体を閉状態にしたときに該第２筐体と面しない部分に前記所定の厚みと略同じ高さである立壁を有する壁部と、
前記壁部に設けられ前記操作部を照射する光源と、
を備えたことを特徴とする電子機器。
【請求項９】
前記第１筐体の外形は略四辺形であり、
前記第２の筐体は前記第１筐体外形の１辺寄りの位置で前記第１筐体とヒンジ接続され、
前記壁部は前記第１筐体がヒンジ接続される前記辺側に設けられていることを特徴とする請求項８記載の電子機器。
【請求項１０】
前記第２の筐体は前記辺の中央位置で前記第１筐体とヒンジ接続され、
前記壁部は前記辺の中央位置から両端寄りに設けられていることを特徴とする請求項９記載の電子機器。
【請求項１１】
前記第２筐体が、前記第１筐体に対し開閉自在且つ回転自在に２軸のヒンジで接続されたものであることを特徴とする請求項８記載の電子機器。
【請求項１２】
前記光源は前記壁部において上方部分に位置し、斜め下方に前記操作部を照射することを特徴とする請求項８記載の電子機器。
【請求項１３】
前記操作部はキーボードであることを特徴とする請求項８記載の電子機器。
【請求項１４】
前記第２筐体は閉状態にしたときに前記第１筐体と向き合う面に表示画面を備えることを特徴とする請求項８記載の電子機器。
【発明の詳細な説明】
【技術分野】
【０００１】
本発明は、ノート型パーソナルコンピュータや携帯端末などの電子機器に関する。
【背景技術】
【０００２】
ノート型パーソナルコンピュータ（以下ノートパソコンという）や携帯端末などの電子機器は、主に室内光のもとで使用されることが多く、これらの電子機器を暗い場所で使用しようとするとキーボード面がよく視認できないため使いづらいという問題がある。【０００３】
そこで、暗い場所におけるキーボードの視認性を高めるために、パーソナルコンピュータのキーボード部を照明するための光源を備えたキーボードが開示されている（例えば、特許文献１参照）。また、ブラックライトを出力する光源を備えるとともに、該光源から出力されたブラックライトの照射によって可視光を出力する物質をキーボードの各キーもしくはその近傍に備えることによってキーボードの視認性を高めるようにした照明装置が開示されている（例えば、特許文献２参照）。
【特許文献１】特開平８−３１４５９８号公報
【特許文献２】特開２００５−１９６３１２号公報
【０００４】
しかし、上記特許文献１に開示されたキーボードでは、キーボードの奥側に光源を備えており、光源から照射された光が操作者の目に入り眩しく感じる恐れがあるので、光源からの光が直接操作者の目に入らないように保護カバーを設けているが、この保護カバーを設けたことにより光が直接操作者の目に入らないようにはなるが、キーボードからの反射光が操作者の目に入るという問題がある。【０００５】
また、上記特許文献２に開示されたキーボード照明装置では、ブラックライトを用いているため、キーボードに文字を印刷する際にブラックライトに反応する物質を用いて印刷する必要がありコストアップを招くという問題がある。【０００６】
本発明は上記事情に鑑み、視認性に優れかつ低コストの電子機器を提供することを目的とする。
【発明の開示】
【０００７】
上記目的を達成する本発明の第１の電子機器は、
上面にキーボードを備え、該キーボードの操作に応じた演算処理を行う電子回路を内蔵した演算ユニットを備えた電子機器において、
上記演算ユニットの奥側であって、かつ両側に配置され上記キーボードを斜め内向きに照射する複数の光源を備えたことを特徴とする。
【０００８】
本発明の第１の電子機器によれば、キーボードを斜め内向きに照射する複数の光源を備えたことにより、キーボードからの反射光が操作者の目に入ることが防止されるので、視認性に優れかつ低コストの電子機器を得ることができる。
【０００９】
ここで、上記演算ユニットが、該演算ユニット奥側の少なくとも両側部に、立壁を持って一段高く形成された壁部を有し、
上記光源は上記壁部に備えられたものであってもよい。
【００１０】
本発明の第１の電子機器を上記のように構成した場合には、演算ユニット上の最適な部位である壁部に複数の光源を配置することができる。
【００１１】
また、上記立壁の、上記演算ユニット両側の部分が斜め内向きに形成され、上記光源が該立壁の、斜め内向きに形成された部分に配置されたものであってもよい。
【００１２】
本発明の第１の電子機器を上記のように構成した場合には、演算ユニット上の最適な部位である壁部に配置された複数の光源によりキーボードが斜め内向きに照射されるので、視認性に優れかつ低コストの電子機器を得ることができる。
【００１３】
また、表示画面を、上記演算ユニットの奥側で該演算ユニットとの間で開閉自在にヒンジ接続された表示ユニットを備え、上記壁部が、上記演算ユニット上に閉じられた表示ユニットと同一面を成す高さに形成されたものであってもよい。
【００１４】
本発明の第１の電子機器を上記のように構成した場合には、表示ユニットを閉じたときの電子機器の形状がコンパクトとなるので、電子機器の携帯性および収納性を向上させることができる。
【００１５】
また、上記表示ユニットが、上記演算ユニットに対し開閉自在かつ回転自在に２軸に接続されたものであってもよい。
【００１６】
本発明の第１の電子機器を上記のように構成した場合には、表示ユニットを開いてキーボードを操作する際の表示部の視認性を向上させることができる。
【００１７】
また、上記目的を達成する本発明の第２の電子機器は、
上面にキーボードを備え、該キーボードの操作に応じた演算処理を行う電子回路を内蔵した演算ユニットと、表示画面を有し上記演算ユニットの奥側に開閉自在にヒンジ接続された表示ユニットとを備えた電子機器において、
奥側かつ両側に配置され上記キーボードを斜め内向きに照射する複数の光源を備えたことを特徴とする。
【００１８】
本発明の第２の電子機器によれば、キーボードを斜め内向きに照射する複数の光源を備えたことにより、キーボードからの反射光が操作者の目に入ることが防止されるので、視認性に優れかつ低コストの電子機器を得ることができる。
【００１９】
ここで、上記表示ユニットが、上記演算ユニットに対し開閉自在かつ回転自在に２軸に接続されたものであってもよい。
【００２０】
本発明の第２の電子機器を上記のように構成した場合には、表示ユニットを開いて電子機器を操作する際の操作性を向上させることができる。
【００２１】
本発明によれば、視認性に優れかつ低コストの電子機器を実現することができる。
【００２２】
上記目的を達成する本発明の第３の電子機器は、
上面に操作部を備えた第１筐体と、前記第１筐体に対して開閉自在にヒンジ接続され所定の厚みを有する第２筐体とを備えた電子機器において、
前記第１筐体は、
前記第２筐体を閉状態にしたときに該第２筐体と面しない部分に前記所定の厚みと略同じ高さである立壁を有する壁部と、
前記壁部に設けられ前記操作部を照射する光源と、
を備えたことを特徴とする。
【００２３】
本発明の第３の電子機器によれば、第１筐体に対する第２筐体の閉操作を阻害することなく視認性に優れた電子機器を得ることができ、また、第２筐体を閉じたときの電子機器の形状がコンパクトとなるので、電子機器の携帯性および収納性を向上させることができる。
【００２４】
また、前記第１筐体の外形は略四辺形であり、前記第２の筐体は前記第１筐体外形の１辺寄りの位置で前記第１筐体とヒンジ接続され、前記壁部は前記第１筐体がヒンジ接続される前記辺側に設けられたものであってもよい。
【００２５】
また、前記第２の筐体は前記辺の中央位置で前記第１筐体とヒンジ接続され、前記壁部は前記辺の中央位置から両端寄りに設けられたものであってもよい。また、前記第２筐体が、前記第１筐体に対し開閉自在且つ回転自在に２軸のヒンジで接続されたものであってもよい。このように構成した場合には、第２筐体が第１筐体に対して閉状態にあるときに壁部が第２筐体のガタツキを防止することができる。特に、第２筐体が第１筐体に２軸ヒンジで接続される場合は、閉状態での第１筐体に対する第２筐体の水平方向の移動を規制することも可能となり格別な効果を発揮する。このように、壁部により第２筐体の移動を規制できる（ガタツキを防止できる）ので、閉状態において第２筐体を第１筐体に固定維持する特別な部品や構造は不要となり、電子機器の低コスト化に寄与する。
【００２６】
また、前記光源は前記壁部において上方部分に位置し、斜め下方に前記操作部を照射するように構成してもよい。これにより、光源は壁部から遠方にある操作部に対しても良好な照射が可能となる。
【００２７】
また、前記操作部はキーボードであってもいいし、前記第２筐体は閉状態にしたときに前記第１筐体と向き合う面に表示画面を備えていてもよい。
【００２８】
以上により、本発明によれば、視認性に優れかつ低コストの電子機器を実現することができる。
【図面の簡単な説明】
【００２９】
【図１】本発明の第１の実施形態であるノートパソコンの外観を示す斜視図である。
【図２】図１に示すノートパソコンの側面図である。
【図３】図１に示すノートパソコンの演算ユニットの上面図である。
【図４】第２の実施形態であるノートパソコンの演算ユニットの上面図である。
【図５】図１に示すノートパソコンの表示ユニットを閉じた状態を示す斜視図である。
【図６】本発明の第２の実施形態のノートパソコンの外観を示す斜視図である。
【図７】本発明の第４の実施形態のノートパソコンの外観を示す斜視図である。
【図８】本発明の第５の実施形態のノートパソコンの外観を示す斜視図である。
【発明を実施するための最良の形態】
【００３０】
以下図面を参照して本発明の実施の形態を説明する。【００３１】
図１は、本発明の第１の実施形態であるノートパソコンの外観を示す斜視図であり、図２は、図１に示すノートパソコンの側面図であり、図３は、図１に示すノートパソコンの演算ユニットの上面図である。【００３２】
なお、この第１の実施形態のノートパソコン１は、本発明の第１の電子機器の一例および本発明の第２の電子機器の一例に相当するものである。【００３３】
図１〜図３に示すように、このノートパソコン１は、上面に操作部の一例であるキーボード１１を備え、キーボード１１の操作に応じた演算処理を行う電子回路（図示せず）を内蔵した第１筐体である演算ユニット１０と、表示画面２１を有し演算ユニット１０の奥側中央位置で演算ユニット１０との間で開閉自在にヒンジ１５で接続されている第２筐体である表示ユニット２０とを備えた電子機器であって、演算ユニット１０の奥側両側に配置され、キーボード１１を斜め内向きに照射する複数の光源１２を備えている。本発明の各実施形態では、光源１２として指向性を有するＬＥＤ（Ｌｉｇｈｔ  Ｅｍｉｔｔｉｎｇ  Ｄｉｏｄｅ）を用いている。【００３４】
演算ユニット１０は、外形が略四辺形であり、演算ユニット奥側（つまり、演算ユニット１０の四辺形の１辺寄り）であってかつヒンジ１５の両側に位置する両側部１０ａ，１０ｂが、立壁を持って一段高く形成された壁部１４を有しており、光源１２はこの壁部１４に、照射方向が斜め内向きとなる姿勢で配置されている。また、図２に示すように、この光源１２は壁部１４において上方部分に位置し、斜め下方にキーボード１１を照射している。【００３５】
このように構成したことにより、このノートパソコン１では、光源１２からの光１３がキーボード１１に対して斜め内向きに照射されキーボード１１全体が照明されるので、暗い場所でもキーボードを十分に視認することができる。また、光源１２からの光１３はキーボード１１に対して斜め内向きに照射され、光源１２からの照射光およびキーボード１１からの反射光が操作者の目に入らないので、操作者の操作を妨げることがない。また、壁部１４の上方部分にある光源１２からの照射光が光源１２から遠方にあるキーボードの部分にもとどくことになり良好な視認性を確保することができる。【００３６】
次に、本発明の第２の実施形態について説明する。【００３７】
図４は、第２の実施形態であるノートパソコンの演算ユニットの上面図である。【００３８】
図４に示すように、この第２の実施形態のノートパソコン２では、壁部１４の立壁の、演算ユニット両側の部分１０ａ，１０ｂは斜め内向きに形成されており、光源１２は、この立壁の、斜め内向きに形成された部分１４ａ，１４ｂに配置されている。このノートパソコン２においても、図３に示すノートパソコン１と同様、光源１２からの光１３がキーボード１１に対して斜め内向きに照射されキーボード１１全体が照明されるので、暗い場所でもキーボードを十分に視認することができる。また、光源１２からの光１３がキーボード１１に対して斜め内向きに照射され、光源１２からの照射光およびキーボード１１からの反射光が操作者の目に入らないので、操作者の操作を妨げることがない。【００３９】
図５は、図１に示すノートパソコンの表示ユニットを閉じた状態を示す斜視図である。      【００４０】
図５に示すように、このノートパソコン１は、表示ユニット２０を閉じた状態で、ノートパソコン１の壁部１４が、演算ユニット１０上に閉じられた表示ユニット２０と同一面を成す高さとなるように形成されている。【００４１】
このように構成したことにより、このノートパソコンの表示ユニットを閉じたときに表示ユニット２０と壁部１４とが同一面となるので、保管性および携帯性を向上させることができる。【００４２】
次に、本発明の第３の実施形態について説明する。【００４３】
図６は、本発明の第３の実施形態のノートパソコンの外観を示す斜視図である。【００４４】
図６に示すように、このノートパソコン３は、図１に示すノートパソコン１と同様、上面にキーボード４３を備え、キーボード４３の操作に応じた演算処理を行う電子回路（図示せず）を内蔵した演算ユニット４０と、表示画面３１を有し演算ユニット４０の奥側に開閉自在にヒンジ接続された表示ユニット３０とを備えた電子機器において、演算ユニット４０の奥側両側に配置されキーボード４３を斜め内向きに照射する複数の光源１２を備えている。なお、この実施形態のノートパソコン３は、表示ユニット３０が、演算ユニット４０に対して開閉自在かつ回転自在に２軸に接続されたものとして構成されている。【００４５】
すなわち、図６に示すように、このノートパソコン３では、演算ユニット４０に対して表示ユニット３０を矢印Ａ−Ａ方向に開閉自在に支持する表示ユニット支持部４１が設けられており、この表示ユニット支持部４１に、演算ユニット４０に対して表示ユニット３０を矢印Ｂ−Ｂ方向に回転自在に支持する回転軸４２が設けられている。これにより、表示ユニット３０は演算ユニット４０に対して開閉自在かつ回転自在に２軸接続されるので、表示ユニット３０を開いてキーボード４３を操作する際の表示画面３１の視認性を向上させることができる。【００４６】
次に、本発明の第４の実施形態について説明する。【００４７】
図７は、本発明の第４の実施形態のノートパソコンの外観を示す斜視図である。【００４８】
この第４の実施形態のノートパソコン４は、本発明の第２の電子機器の一実施形態に相当するものである。【００４９】
図７に示すように、このノートパソコン４は、上面にキーボード６１を備え、キーボード６１の操作に応じた演算処理を行う電子回路（図示せず）を内蔵した演算ユニット６０と、表示画面５１を有し、演算ユニット６０の奥側に開閉自在にヒンジ接続された表示ユニット５０とを備えた電子機器であって、ノートパソコン４の奥側かつ表示ユニット５０の両側に配置されキーボード６１を斜め内向きに照射する複数の光源５２を備えている。【００５０】
なお、表示ユニット５０両側の下部には、複数の光源５２の照射角度を上下方向に調整する上下にスライド自在な調整つまみ５４を備えている。操作者は、表示ユニット５０の開き角度に応じてこの調整つまみ５４を上下にスライドさせることにより、光源５２からの照射光のキーボード６１への照射角度を自在に調整することができる。【００５１】
このように構成したことにより、このノートパソコン４では、光源５２からの光１３がキーボード６１に対して斜め内向きに照射されキーボード６１全体が照明されるので、暗い場所でもキーボード６１を十分に視認することができる。また、光源５２からの光１３はキーボード６１に対して斜め内向きに照射され、光源５２からの照射光およびキーボード６１からの反射光が操作者の目に入らないので、操作者の操作を妨げることがない。【００５２】
次に、本発明の第５の実施形態について説明する。【００５３】
図８は、本発明の第５の実施形態のノートパソコンの外観を示す斜視図である。【００５４】
この第５の実施形態のノートパソコン５は、本発明の第２の電子機器の一実施形態に相当するものである。【００５５】
図８に示すように、このノートパソコン５は、上面にキーボード８１を備え、キーボード８１の操作に応じた演算処理を行う電子回路（図示せず）を内蔵した演算ユニット８０と、表示画面７１を有し、演算ユニット８０の奥側に開閉自在にヒンジ接続された表示ユニット７０とを備えた電子機器であって、演算ユニット８０の奥側かつ両側に配置されキーボード８１を斜め内向きに照射する複数の光源８２を備えている。【００５６】
このように構成したことにより、このノートパソコン５では、光源８２からの光１３がキーボード８１に対して斜め内向きに照射されキーボード８１全体が照明されるので、暗い場所でもキーボード８１を十分に視認することができる。また、光源８２からの光１３はキーボード８１に対して斜め内向きに照射され、光源８２からの照射光およびキーボード８１からの反射光が操作者の目に入らないので、操作者の操作を妨げることがない。【００５７】
なお、上記ノートパソコン５を、表示ユニット７０が演算ユニット８０に対し開閉自在かつ回転自在に２軸に接続されたものとして構成してもよい。その場合には、図６に示すノートパソコン３における表示ユニット支持部４１および回転軸４２と同様の２軸接続構造とすることにより、表示ユニット７０を演算ユニット８０に対し開閉自在かつ回転自在な構造とすることができる。
【図１】
2008129646.tif 000003
【図２】
2008129646.tif 000004
【図３】
2008129646.tif 000005
【図４】
2008129646.tif 000006
【図５】
2008129646.tif 000007
【図６】
2008129646.tif 000008
【図７】
2008129646.tif 000009
【図８】
2008129646.tif 000010
【国際調査報告】
2008129646.tif 000011
2008129646.tif 000012
2008129646.tif 000013
2008129646.tif 000014
2008129646.tif 000015
2008129646.tif 000016